(57)【要約】【課題】ＡＣＫ／ＮＡＣＫ信号の効率的な伝送及び信頼性あるＡＣＫ／ＮＡＣＫ決定を達成するために、ＡＣＫ／ＮＡＣＫ信号を伝送する方法と、前記アップリンクパケット伝送でＡＣＫ／ＮＡＣＫを決定する方法を提供する。【解決手段】専用チャネルを通して移動局からサービングネットワーク及びノンサービングネットワークのうち少なくとも一つにパケットデータを伝送する段階と、前記サービングネットワークによって復号化された前記パケットデータに応答して、前記サービングネットワークから位相偏移キー変調を用いて伝送された第１受信成功可否状態指示子を受信する段階と、前記ノンサービングネットワークによって復号化された前記パケットデータに応答して、前記ノンサービングネットワークから振幅偏移キー変調を用いて伝送された第２受信成功可否状態指示子を受信する段階と、を含んでアップリンクデータの受信成功可否信号の受信方法を構成する。【選択図】図１
2008510353.tif 000002
【特許請求の範囲】
【請求項１】
無線通信システムにおけるアップリンクデータの受信成功可否信号の受信方法において、
専用チャネルを通して移動局からサービングネットワーク及びノンサービング（ｎｏｎ−ｓｅｒｖｉｎｇ）ネットワークのうち少なくとも一つにパケットデータを伝送する段階と、
前記サービングネットワークによって復号化された前記パケットデータに応答して、前記サービングネットワークから位相偏移キー変調を用いて伝送された第１受信成功可否状態指示子を受信する段階と、
前記ノンサービングネットワークによって復号化された前記パケットデータに応答して、前記ノンサービングネットワークから振幅偏移キー変調を用いて伝送された第２受信成功可否状態指示子を受信する段階と、を含むアップリンクデータの受信成功可否信号の受信方法。
【請求項２】
前記第１受信成功可否状態指示子は、前記パケットデータが誤りなく復号化された場合、受信成功指示子を含み、前記パケットデータが誤って復号化された場合、受信失敗指示子を含むことを特徴とする請求項１に記載のアップリンクデータの受信成功可否信号の受信方法。
【請求項３】
前記第２受信成功可否状態指示子は、前記パケットデータが誤りなく復号化された場合、受信成功指示子を含み、前記パケットデータが誤って復号化された場合、受信される信号がないことを特徴とする請求項１に記載のアップリンクデータの受信成功可否信号の受信方法。
【請求項４】
前記受信成功指示子は、正の振幅信号を含むことを特徴とする請求項３に記載のアップリンクデータの受信成功可否信号の受信方法。
【請求項５】
前記位相偏移キー変調は、２進位相偏移キー変調を含むことを特徴とする請求項１に記載のアップリンクデータの受信成功可否信号の受信方法。
【請求項６】
前記振幅偏移キー変調は、オン−オフキー変調を含むことを特徴とする請求項１に記載のアップリンクデータの受信成功可否信号の受信方法。
【請求項７】
前記専用チャネルは、強化アップリンク専用チャネルであることを特徴とする請求項１に記載のアップリンクデータの受信成功可否信号の受信方法。
【請求項８】
前記移動局は、ソフトハンドオーバーの間に前記ノンサービングネットワークと通信することを特徴とする請求項１に記載のアップリンクデータの受信成功可否信号の受信方法。
【請求項９】
無線通信システムにおけるネットワークによるアップリンクデータの受信成功可否信号の受信方法において、
専用チャネルを通して移動局からパケットデータを受信する段階と、
前記パケットデータを復号化する段階と、
復号化した前記パケットデータに応答して、前記ネットワークが前記移動局のサービングネットワークである場合、位相偏移キー変調を用いて第１受信成功可否状態指示子を伝送する段階と、
復号化した前記パケットデータに応答して、前記ネットワークが前記移動局のノンサービングネットワークである場合、振幅偏移キー変調を用いて第２受信成功可否状態指示子を伝送する段階と、を含むアップリンクデータの受信成功可否信号の受信方法。
【請求項１０】
前記第１受信成功可否状態指示子は、前記パケットデータが誤りなく復号化された場合、受信成功指示子を含み、前記パケットデータが誤って復号化された場合、受信失敗指示子を含むことを特徴とする請求項９に記載のアップリンクデータの受信成功可否信号の受信方法。
【請求項１１】
前記第２受信成功可否状態指示子は、前記パケットデータが誤りなく復号化された場合、受信成功指示子を含み、前記パケットデータが誤って復号化された場合、受信される信号がないことを特徴とする請求項９に記載のアップリンクデータの受信成功可否信号の受信方法。
【請求項１２】
前記受信成功指示子は、正の振幅信号を含むことを特徴とする請求項１１に記載のアップリンクデータの受信成功可否信号の受信方法。
【請求項１３】
前記位相偏移キー変調は、２進位相偏移キー変調を含むことを特徴とする請求項９に記載のアップリンクデータの受信成功可否信号の受信方法。
【請求項１４】
前記振幅偏移キー変調は、オン−オフキー変調を含むことを特徴とする請求項９に記載のアップリンクデータの受信成功可否信号の受信方法。
【請求項１５】
前記専用チャネルは、強化アップリンク専用チャネルを含むことを特徴とする請求項９に記載のアップリンクデータの受信成功可否信号の受信方法。
【請求項１６】
前記移動局は、ソフトハンドオーバーの間に前記ノンサービングネットワークと通信することを特徴とする請求項９に記載のアップリンクデータの受信成功可否信号の受信方法。
【請求項１７】
無線通信システムにおけるアップリンクデータ通信のための移動端末において、
専用チャネルを通してサービングネットワーク及びノンサービングネットワークのうち少なくとも一つにパケットデータを伝送する手段と、
前記サービングネットワークによって復号化された前記パケットデータに応答して、前記サービングネットワークから位相偏移キー変調を用いて伝送された第１受信成功可否状態指示子を受信する手段と、
前記ノンサービングネットワークによって復号化された前記パケットデータに応答して、前記ノンサービングネットワークから振幅偏移キー変調を用いて伝送された第２受信成功可否状態指示子を受信する手段と、を含む移動端末。
【請求項１８】
無線通信システムでアップリンクデータの受信成功可否信号を受信するためのネットワークにおいて、
専用チャネルを通して移動局からパケットデータを受信する手段と、
前記パケットデータを復号化する手段と、
復号化した前記パケットデータに応答して、前記ネットワークが前記移動局のサービングネットワークである場合、位相偏移キー変調を用いて第１受信成功可否状態指示子を伝送する手段と、
復号化した前記パケットデータに応答して、前記ネットワークが前記移動局のノンサービングネットワークである場合、振幅偏移キー変調を用いて第２受信成功可否状態指示子を伝送する手段と、含むネットワーク。
【発明の詳細な説明】
【技術分野】
【０００１】
本発明は、ＡＣＫ／ＮＡＣＫ（ａｃｋｎｏｗｌｅｄｇｅｍｅｎｔ／ｎｅｇａｔｉｖｅ  ａｃｋｎｏｗｌｅｄｇｅｍｅｎｔ）信号を伝送する方法に関するもので、一層詳しくは、アップリンクデータチャネルを通して移動局（ＵＥ）から伝送されたパケットデータを受信したネットワークからＡＣＫ／ＮＡＣＫ信号を伝送する方法に関するものである。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）は、高速でのパケットデータ伝送のために、アップリンクチャネルに混合自動再伝送要請（Ｈｙｂｒｉｄ  Ａｕｔｏｍａｔｉｃ  Ｒｅｐｅａｔ  Ｒｅｑｕｅｓｔ；以下、ＨＡＲＱという）技術を適用することを論議している。このチャネルは、強化アップリンク専用チャネル（Ｅｎｈａｎｃｅｄ−ｕｐｌｉｎｋ  Ｄｅｄｉｃａｔｅｄ  Ｃｈａｎｎｅｌ；以下、Ｅ−ＤＣＨという）として知られている。
【０００３】
前記アップリンクチャネルに前記ＨＡＲＱシステムを適用するにおいて、ネットワーク（例えば、ｎｏｄｅ−Ｂ）は、移動局（Ｕｓｅｒ  Ｅｑｕｉｐｍｅｎｔ；以下、ＵＥという）から伝送されたパケットに応答し、前記パケットの復号化後に得られた結果に基づいて前記パケットが誤って復号化されたと決定される場合、前記ＵＥに受信失敗（以下、‘ＮＡＣＫ’という）信号を伝送し、前記パケットが成功的に復号化されたと決定される場合、前記ＵＥに受信成功（以下、‘ＡＣＫ’という）信号を伝送する。前記ＡＣＫ／ＮＡＣＫ信号は、１ビットのＡＣＫ／ＮＡＣＫチャネルを通して伝送される。
【０００４】
前記ＮＡＣＫ信号の受信に応答し、前記ＵＥは、前記既に伝送したパケットを再伝送する。前記ｎｏｄｅ−Ｂは、前記再伝送されたパケットに対する復号化情報と、既に伝送されたパケットに対する復号化情報とを多様な方法で結合し、再伝送パケットに対する受信性能を向上させる。この場合、前記ＡＣＫ／ＮＡＣＫ信号は、ダウンリンクで伝送される１ビット信号である。前記ＡＣＫ／ＮＡＣＫ信号に対しては、干渉または他の反対方向の通信状態から前記信号を保護するための如何なるチャネルコーディングも提供されない。このような理由のため、前記ＵＥが前記ＡＣＫ／ＮＡＣＫ信号を成功的に受信するためには高い送信電力が必要となる。
【０００５】
前記ＨＡＲＱシステムにおいて、前記ＮＡＣＫ信号は、前記ＡＣＫ信号より高い伝送成功率を有するべきである。前記ＵＥがＡＣＫ信号をＮＡＣＫ信号として誤って受信した場合、前記ＵＥは、前記ｎｏｄｅ−Ｂによって既に受信された前記パケットを再伝送する。したがって、前記データの再伝送以外には、何らの損害も発生しない。しかしながら、前記ＵＥがＮＡＣＫ信号をＡＣＫ信号として誤って受信した場合、前記ＵＥは、前記関連したパケットデータが成功的に前記ｎｏｄｅ−Ｂに伝送されたと誤って判断し、次のパケットを伝送するようになる。その結果、前記誤って復号化されたパケットは、前記ｎｏｄｅ−Ｂの物理階層で復旧不可能となる。前記誤ったパケットの復旧が上位階層で行われるべきであり、結果として前記パケットの伝送遅延が増加する。
【０００６】
さらに、前記ＵＥが速い速度で伝送したり、前記ＵＥが複数のｎｏｄｅ−Ｂとソフトハンドオーバーを行う場合、前記ＵＥと各ｎｏｄｅ−Ｂとの間のリンク状態が非常に弱くなる。この場合、適切な水準の前記ＡＣＫ／ＮＡＣＫ受信性能を得るのに要求される前記ＡＣＫ／ＮＡＣＫ伝送電力（特に、前記ＮＡＣＫ伝送電力）は、非現実的に大きくなる。
【０００７】
したがって、上述した全ての可能性を考慮した上で、前記ダウンリンクＡＣＫ／ＮＡＣＫ伝送電力を適切に設定する必要がある。
【０００８】
よって、上記のような問題点を解決するために、前記Ｅ−ＤＣＨを用いて無線システムでＡＣＫ／ＮＡＣＫ通信手段を向上させる余地が残っている。
【発明の開示】
【発明が解決しようとする課題】
【０００９】
本発明は、上記のような従来技術の問題点を実質的に解決するために、ＡＣＫ／ＮＡＣＫ信号を伝送する方法と、前記アップリンクパケット伝送でＡＣＫ／ＮＡＣＫを決定する方法が考案された。  
【００１０】
本発明は上記の問題点を解決するためのもので、その目的は、ＡＣＫ／ＮＡＣＫ信号の効率的な伝送及び信頼性あるＡＣＫ／ＮＡＣＫ決定を達成するために、ＡＣＫ／ＮＡＣＫ信号を伝送する方法と、前記アップリンクパケット伝送でＡＣＫ／ＮＡＣＫを決定する方法を提供することにある。
【課題を解決するための手段】
【００１１】
上記目的を達成するために、無線通信システムにおけるアップリンクデータの受信成功可否信号の受信方法は、専用チャネルを通して移動局からサービングネットワーク及びノンサービング（ｎｏｎ−ｓｅｒｖｉｎｇ）ネットワークのうち少なくとも一つにパケットデータを伝送する段階と、前記サービングネットワークによって復号化された前記パケットデータに応答して、前記サービングネットワークから位相偏移キー変調を用いて伝送された第１受信成功可否状態指示子を受信する段階と、前記ノンサービングネットワークによって復号化された前記パケットデータに応答して、前記ノンサービングネットワークから振幅偏移キー変調を用いて伝送された第２受信成功可否状態指示子を受信する段階と、を含む。前記専用チャネルは、Ｅ−ＤＣＨであることを特徴とする。
【００１２】
本発明の一側面において、前記第１受信成功可否状態指示子は、前記パケットデータが誤りなく復号化された場合、受信成功指示子を含み、前記パケットデータが誤って復号化された場合、受信失敗指示子を含む。前記第２受信成功可否状態指示子は、前記パケットデータが誤りなく復号化された場合、受信成功指示子を含み、前記パケットデータが誤って復号化された場合、受信される信号がないことを特徴とする。前記受信成功指示子は、正の振幅信号を含むことが好ましい。
【００１３】
本発明の他の側面において、前記位相偏移キー変調は、２進位相偏移キー変調を含むことを特徴とする。さらに、前記振幅偏移変調は、オン−オフキー変調を含む。
【００１４】
本発明の他の側面において、前記移動局は、ソフトハンドオーバーの間に前記ノンサービングネットワークと通信することを特徴とする。
【００１５】
本発明の他の実施例として、無線通信システムにおけるネットワークによるアップリンクデータの受信成功可否信号の受信方法は、専用チャネルを通して移動局からパケットデータを受信する段階と、前記パケットデータを復号化する段階と、復号化した前記パケットデータに応答して、前記ネットワークが前記移動局のサービングネットワークである場合、位相偏移キー変調を用いて第１受信成功可否状態指示子を伝送する段階と、復号化した前記パケットデータに応答して、前記ネットワークが前記移動局のノンサービングネットワークである場合、振幅偏移キー変調を用いて第２受信成功可否状態指示子を伝送する段階と、を含むアップリンクデータの受信成功可否信号の受信方法である。
【００１６】
本発明の他の実施例として、無線通信システムでアップリンクデータ通信のための移動端末は、専用チャネルを通してサービングネットワーク及びノンサービングネットワークのうち少なくとも一つにパケットデータを伝送する手段と、前記サービングネットワークによって復号化された前記パケットデータに応答し、前記サービングネットワークから位相偏移キー変調を用いて伝送された第１受信成功可否状態指示子を受信する手段と、前記ノンサービングネットワークによって復号化された前記パケットデータに応答し、前記ノンサービングネットワークから振幅偏移キー変調を用いて伝送された第２受信成功可否状態指示子を受信する手段と、を含む。
【００１７】
本発明の他の実施例として、無線通信システムでアップリンクデータの受信成功可否信号を受信するためのネットワークは、専用チャネルを通して移動局からパケットデータを受信する手段と、前記パケットデータを復号化する手段と、復号化した前記パケットデータに応答して、前記ネットワークが前記移動局のサービングネットワークである場合、位相偏移キー変調を用いて第１受信成功可否状態指示子を伝送する手段と、復号化した前記パケットデータに応答して、前記ネットワークが前記移動局のノンサービングネットワークである場合、振幅偏移キー変調を用いて第２受信成功可否状態指示子を伝送する手段と、含む。
【００１８】
上述した一般的な説明及び後述する本発明の詳細な説明は、例示的及び説明的なもので、請求された発明に対する追加的な説明を提供するだろう。
【発明の効果】
【００１９】
本発明は、広帯域無線接続システムに適用される。
【発明を実施するための最良の形態】
【００２０】
以下、本発明の実施例を、添付の図面に基づいて具体化する。図中、同一の図面符号は、同一部分または類似した部分を示す。
【００２１】
現在、無線移動通信システムでの向上したアップリンクが要求されることで、移動端末（またはＵＥ）からｎｏｄｅ−Ｂに対するアップリンク伝送において、高速パケット伝送のためのシステムが必要となる。Ｅ−ＤＣＨは、上記のような目的を考慮して考案された。
【００２２】
ＵＥは、ｎｏｄｅ−ＢにＥ−ＤＣＨを通して高速でパケットを伝送する。前記ｎｏｄｅ−Ｂは、受信されたパケットを復号化し、前記復号化結果に基づいて前記パケット受信の成功または失敗を決定する。そして、前記決定結果に基づいて、前記ｎｏｄｅ−Ｂは、物理階層受信可否（ＡＣＫ／ＮＡＣＫ）信号を伝送する。その結果、自動再伝送要求（Ａｕｔｏｍａｔｉｃ  ｒｅｐｅａｔ  ｒｅｑｕｅｓｔ；ＡＲＱ）動作が迅速に行われる。
【００２３】
一部のシステムにおいては、要求される前記ＡＣＫ及びＮＡＣＫ信号の受信品質がそれぞれ異なっている。したがって、ＡＣＫ及びＮＡＣＫ信号がＡＣＫ／ＮＡＣＫチャネルを通して伝送される場合、前記ＡＣＫ信号の伝送時と、前記ＮＡＣＫ信号の伝送時の伝送電力レベルを異ならせる必要がある。
【００２４】
場合によっては、閾値を用いてＡＣＫ信号のみを検出することが効率的である。この場合、ＮＡＣＫ信号のための前記伝送電力をオフレベル（ｄｉｓｃｏｎｔｉｎｕｏｕｓ  ｔｒａｎｓｍｉｓｓｉｏｎ；ＤＴＸ）にする。すなわち、ＮＡＣＫ信号が伝送されない。したがって、本発明においては、ｎｏｄｅ−Ｂから伝送されるＡＣＫ信号とＮＡＣＫ信号の伝送電力レベルを異なるように設定し、ＮＡＣＫ信号を伝送させないためのＡＣＫ／ＮＡＣＫ信号送信電力パラメーターを定義する。これは、オン−オフキー変調または振幅偏移キー変調として知られている。
【００２５】
必要によって、ＡＣＫ及びＮＡＣＫ信号の前記伝送電力レベルがそれぞれ異なることもある。一般的に、前記ＮＡＣＫ信号にエラーがあると、前記ＡＣＫ信号にエラーがある場合よりも深刻な問題が発生しうる。そのため、前記ＮＡＣＫ信号を伝送する間、高い送信電力が要求される。前記ＡＣＫ及びＮＡＣＫ信号が同一の送信電力で伝送される場合、前記ＮＡＣＫ信号が不充分な送信電力レベルで伝送され、前記ＡＣＫ信号が必要以上の送信電力レベルで伝送されることで、問題が引き起こされる。
【００２６】
したがって、前記ＡＣＫ信号及び前記ＮＡＣＫ信号を伝送するための前記送信電力レベルを互いに異なるように設定すると、前記ＡＣＫ及びＮＡＣＫ信号を一層効率的に伝送することができる。
【００２７】
図１は、本発明の第１実施例に係るＡＣＫ／ＮＡＣＫ信号の伝送電力割当方法を説明するダイアグラムである。図１に示すように、前記ＡＣＫ及びＮＡＣＫ信号を２進位相偏移キー（ｂｉｎａｒｙ  ｐｈａｓｅ  ｓｈｉｆｔ  ｋｅｙ；以下、ＢＰＳＫという）方法で伝送させるために、相対的に異なる送信電力レベルが用いられた。前記ＡＣＫ／ＮＡＣＫ信号を伝送するための前記ＢＰＳＫ変調は、ハンドオーバーが行われない場合に用いることが好ましい（例えば、前記ＵＥは、サービングｎｏｄｅ−Ｂのみと通信する）。本発明を説明する目的で、前記ｎｏｄｅ−Ｂをネットワークともいう。
【００２８】
図１に示すように、前記ＵＥは、ダウンリンクＡＣＫ／ＮＡＣＫチャネルを通して伝送され、前記ＵＥによって受信された信号が正（＋）の電圧レベルを有する場合、ＡＣＫ信号の受信であると決定し、前記ＵＥによって受信された信号が負（−）の電圧レベルを有する場合、ＮＡＣＫ信号の受信であると決定することが好ましい。
【００２９】
本発明の第１実施例によると、ＵＥに対する前記ダウンリンク専用チャネル送信電力は、ダウンリンク専用物理データチャネル（ｄｅｄｉｃａｔｅｄ  ｐｈｙｓｉｃａｌ  ｄａｔａ  ｃｈａｎｎｅｌ；以下、ＤＰＤＣＨという）の前記送信電力に対するオフセット値を用いて設定される。したがって、ダウンリンクで伝送されるＡＣＫ／ＮＡＣＫ信号のための前記送信電力は、ダウンリンクＤＰＤＣＨの前記送信電力に対するオフセット値を用いて設定される。
【００３０】
相対的に、無線ネットワーク制御器（ｒａｄｉｏ  ｎｅｔｗｏｒｋ  ｃｏｎｔｒｏｌｌｅｒ；以下、ＲＮＣという）とｎｏｄｅ−Ｂとの間に前記ＡＣＫ／ＮＡＣＫ信号の前記送信電力に対するパラメーターを決定することで、前記ＡＣＫ／ＮＡＣＫ信号の前記送信電力を異なるレベル（例えば、位相偏移）に設定することが好ましい。例えば、パラメーター”ＰＯＡＣＫ”がＡＣＫ信号の伝送におけるダウンリンクＤＰＤＣＨに対する電力オフセットを示し、パラメーター”ＰＯＮＡＣＫ”がＮＡＣＫ信号の伝送における前記ダウンリンクＤＰＤＣＨに対する電力オフセットを示すとき、前記ＲＮＣからｎｏｄｅ−Ｂに前記パラメーターを伝達することで、前記ＡＣＫ及びＮＡＣＫ信号が異なるレベルを有するように、前記ＡＣＫ及びＮＡＣＫ信号に対する前記送信電力を制御することができる。例えば、前記ＮＡＣＫ信号のＤＴＸが要求されるとき、これは、パラメーター”ＰＯＮＡＣＫ”を”０”に設定することで達成される。
【００３１】
ＵＥによってＡＣＫ／ＮＡＣＫ信号を受信するとき、前記ＵＥがＢＫＳＰの検出可否または閾値検出可否を選択でき、閾値検出を行う場合に適切な閾値を選択できるように、前記パラメーターがＵＥにも伝達されることが好ましい。
【００３２】
ハンドオーバー状態、好ましくはソフトハンドオーバー状態のＵＥにおいて、前記ＮＡＣＫ信号が常にＤＴＸレベルを有するように、前記ＮＡＣＫ信号に対する送信電力を制御することができる。すなわち、ハンドオーバー状態の前記ＵＥにおいて、前記ダウンリンクＡＣＫ／ＮＡＣＫ送信電力の割り当ての際、前記ＡＣＫ信号に対する送信電力は、前記ＡＣＫ信号伝送における前記ダウンリンクＤＰＤＣＨに対する前記電力オフセットとして前記パラメーター”ＰＯＮＡＣＫ”を用いるが、これは、既に設定された閾値より大きく設定される。また、前記ＮＡＣＫ信号に対する送信電力は、”０”（ｏｆｆ）に設定される。前記ＵＥが前記ＡＣＫ／ＮＡＣＫ信号の受信のための適切な閾値を選択できるように、前記パラメーター”ＰＯＮＡＣＫ”も前記ＵＥに伝送されることが好ましい。
【００３３】
図２は、本発明の第２実施例に係るＡＣＫ／ＮＡＣＫ信号の伝送電力割当方法を説明するダイアグラムである。
【００３４】
前記ｎｏｄｅ−ＢがＡＣＫ／ＮＡＣＫ信号を伝送するとき、前記ダウンリンクＡＣＫ／ＮＡＣＫチャネルが劣悪な状態にある場合、前記ＡＣＫ／ＮＡＣＫ信号伝送のための前記伝送電力が不充分である。したがって、前記ＡＣＫ信号伝送の成功に優先し、前記ＮＡＣＫ信号の伝送成功を保障する必要がある。
【００３５】
前記ＮＡＣＫ信号伝送の成功を優先的に保障するために、図２に示した方法によって信号送信電力の割当を行うべきである。すなわち、前記ＡＣＫ信号は、前記状態下で既に設定されたレベルの送信電力を用いて伝送され、ＮＡＣＫ信号に対する送信電力は、オフレベル（ＤＴＸ）を有する。既に設定された振幅を用いる前記ＡＣＫ信号の伝送とＮＡＣＫ信号の非連続的伝送は、振幅偏移キー変調であると知られている。前記ＵＥは、閾値を用いてＡＣＫ信号を検出することが好ましい。すなわち、前記ＵＥは、ダウンリンクＡＣＫ／ＮＡＣＫチャネルを通して伝送され、前記ＵＥによって受信された前記信号が既に設定された閾値より高い電圧レベルを有する場合、ＡＣＫ信号を受信したと決定し、前記既に設定された閾値を越えない電圧レベルを有する場合、ＮＡＣＫ信号を受信したと決定する。
【００３６】
前記ＵＥの側面では、前記ＡＣＫ／ＮＡＣＫ検出のための前記閾値が充分に高く設定されるべきであり、これによって、前記ＡＣＫ信号に対する伝送電力が不充分である場合も、ＮＡＣＫ信号の伝送成功確率を充分に保障することができる。
【００３７】
以下、本発明の第２実施例に係るＡＣＫ／ＮＡＣＫ信号に対する伝送電力の効率的な設定方法を説明する。
【００３８】
本発明の第２実施例によると、ソフトハンドオーバーを行う間、前記振幅偏移キー変調方法を適用することが好ましい。すなわち、前記ＵＥは、少なくとも一つのノンサービングセルのみならず、サービングセルと通信状態にある。
【００３９】
前記第２実施例において、前記ＲＮＣは、前記ＮＡＣＫ信号のための伝送電力がオフ（ＤＴＸ）レベルを有するかどうかに関する情報、前記関連したＵＥがソフトハンドオーバー状態にあるかどうかに関する情報、及び前記ＡＣＫ／ＮＡＣＫ信号の伝送と関連した他の状態に関する情報を前記ｎｏｄｅ−Ｂに提供する。例えば、前記ｎｏｄｅ−Ｂの物理階層は、上位階層から受信されたパラメーター値が１である場合、ＮＡＣＫ信号を用いて送信電力を”０”に設定し（例えば、”ＮＡＣＫ＿ＰＷ＿ＯＦＦ”と呼ばれる信号を用いる）、前記受信されたパラメーター値が０である場合、前記ＲＮＣによって判断されたＮＡＣＫ信号送信電力を用いてＮＡＣＫ信号を伝送する。前記ＡＣＫ／ＮＡＣＫ信号に対する前記送信電力レベルに関する情報は、前記ＲＮＣから前記ｎｏｄｅ−Ｂに伝送されることが好ましい。
【００４０】
上述した例で前記ＮＡＣＫ信号送信電力が”０”以外の他のレベルを有する場合、前記説明された送信電力設定の単純な具現において、前記ＲＮＣによって判断される前記送信電力レベルに対する一パラメーターは、前記ＡＣＫ信号及びＮＡＣＫ信号が同一のレベルを有するように前記ＡＣＫ信号及びＮＡＣＫ信号に対する送信電力を設定する。ＡＣＫ／ＮＡＣＫ信号を伝送する間、ダウンリンクＤＰＤＣＨの伝送電力に対するオフセット値である前記パラメーターは、”ＰＯＡＣＮ／ＮＡＣＫ”である。前記ＵＥがＡＣＫ／ＮＡＣＫ信号の受信のための適切な閾値を選択できるように、前記パラメーター”ＰＯＡＣＮ／ＮＡＣＫ”も前記ＵＥに伝送されることが好ましい。
【００４１】
前記ＡＣＫ及びＮＡＣＫ信号に対する前記送信電力は、前記ｎｏｄｅ−Ｂが一層効率的に電力を使用できるように、二つのパラメーターをそれぞれ用いて独立的に設定される。前記ＡＣＫ信号に対する前記送信電力は、好ましくは、前記ＡＣＫ信号伝送における前記ダウンリンクＤＰＤＣＨに対する前記電力オフセット、すなわち、”ＰＯＡＣＫ”用いて設定される反面、前記ＮＡＣＫ信号に対する前記伝送電力は、前記ダウンリンクＤＰＤＣＨに対する前記電力オフセット、例えば、”ＰＯＮＡＣＫ”を用いて設定される。この場合、前記ＵＥが前記ＡＣＫ／ＮＡＣＫ信号の受信のための適切な閾値を選択できるように、前記”ＰＯＡＣＫ”値は前記ＵＥに伝送されるべきである。
【００４２】
図３は、本発明を具現する無線通信システムを示す。図３に示すように、移動端末またはＵＥ２は、ＵＴＲＡＮ（ＵＭＴＳ  ｔｅｒｒｅｓｔｒｉａｌ  ｒａｄｉｏ  ａｃｃｅｓｓ  ｎｅｔｗｏｒｋ）６を通して核心ネットワーク（ＣＮ）４に連結される。前記ＵＴＲＡＮ６は、前記ＵＥ２と前記核心ネットワークとの間の通信のための無線接続ベアラ（ｂｅａｒｅｒ）を維持及び管理するように構成される。
【００４３】
前記ＵＴＲＡＮ６は、複数の基地局またはｎｏｄｅ−Ｂ１２に対して一つのＲＮＣ１０を含む複数のＲＮＳ（無線ネットワークシステム）８で構成される。与えられた基地局１２に連結された前記ＲＮＣ１０は、一つのセルで動作するいくつかのＵＥ２に供給される一般資源を管理して割り当てるための前記制御ＲＮＣである。一つまたはそれ以上のセルが一つのｎｏｄｅ−Ｂに存在する。前記制御ＲＮＣは、トラフィック負荷、セル構成及び前記新しい無線リンク受信を制御する。各ｎｏｄｅ−Ｂ１２は、ＵＥ２からアップリンク信号を受信するか、前記ＵＥ２にダウンリンク信号を伝送することができる。各ｎｏｄｅ−Ｂ１２は、ＵＥ２が前記ＵＴＲＡＮ６に連結される接続地点を提供する一方、ＲＮＣ１０は、相応するｎｏｄｅ−Ｂが前記核心ネットワーク４に連結される接続地点を提供する。
【００４４】
以上説明したように、本発明によると、前記ＡＣＫ／ＮＡＣＫ信号の要求される受信品質にしたがって、ダウンリンクＡＣＫ／ＮＡＣＫ信号に対する前記送信電力を最大限に活用することができ、前記システムを効率的に作動することができる。
【００４５】
本発明の思想や領域から逸脱しない多様な変形及び変化が可能であることは、当業者にとって自明である。したがって、本発明は、添付の特許請求の範囲と該当の均等の範囲で提供された前記変形及び変化を含む。
【図面の簡単な説明】
【００４６】
【図１】本発明の第１実施例に係るＡＣＫ／ＮＡＣＫ信号の伝送電力割当方法を説明するダイアグラムである。
【図２】本発明の第２実施例に係るＡＣＫ／ＮＡＣＫ信号の伝送電力割当方法を説明するダイアグラムである。
【図３】本発明を具現する無線通信システムを示す。
【符号の説明】
【００４７】
２  ＵＥ
４  核心ネットワーク
６  ＵＴＲＡＮ
８  ＲＮＳ
１０  ＲＮＣ
１２  Ｎｏｄｅ−Ｂ
【図１】
2008510353.tif 000003
【図２】
2008510353.tif 000004
【図３】
2008510353.tif 000005
【国際調査報告】
2008510353.tif 000006
2008510353.tif 000007